(57)【要約】      （修正有）【課題】尿パッド供給部が小さく、配置輸送が便利で、保存尿パッドの数量が多く、尿パッドの供給がスムーズで、引っ掛からないペット用自動便所を提供する。【解決手段】ペット用自動便所は、ペット用尿パッド供給部と、ペット用便所作動部２００と、ペット用尿パッド回収部とを含み、ペット用便所作動部２００は、ペットが停留する支持板１９を備え、その上方にペット用尿パッド供給部の提供したおむつが配置され、切断装置ホルダ１７が台座１６の上面に設置され、切断装置ホルダ１７の上面に被覆材料７が装着され、三角プーリー８が伝動ベルトを介してカム１２に接続され、カム１２とカッター１４が接続され、カッター１４の上面にスプリングが設置され、カム１２が一定の角度に回動すると、カッター１４が下降し始め、密封された糞便袋を切断する。【選択図】図５
0003203856.tif 000002
【実用新案登録請求の範囲】
【請求項１】
ペット用尿パッド供給部（１００）と、ペット用便所作動部（２００）と、ペット用尿パッド回収部（３００）と、を含むペット用自動便所であって、
前記ペット用尿パッド供給部（１００）が、矩形の尿パッドケース、伝送尿パッドのローラー軸、出口にある二つの摩擦ローラー（１）及び単向歯車（２）を含み、
前記尿パッドケース内にＺ形折畳み式の尿パッド（２１）が保存され、ローラー軸が減速モーターの駆動で尿パッドの移動に輸送動力を提供し、摩擦ローラー（１）が尿パッドをクランプし、単向歯車（２）は、尿パッドが切断された後に内側に引き込まれることを防止し、
前記ペット用便所作動部（２００）は、ペットが停留する支持板（１９）を備え、その上方にペット用尿パッド供給部（１００）の提供したおむつが配置され、切断装置ホルダ（１７）が台座（１６）の上面に設置され、切断装置ホルダ（１７）の上面に被覆材料（７）が装着され、三角プーリー（８）が伝動ベルトを介してカム（１２）に接続され、カム（１２）とカッター（１４）が接続され、カッター（１４）の上面にスプリングが設置され、カム（１２）が一定の角度に回動すると、カッター（１４）が下降し始め、密封された糞便袋を切断し、カム（１２）が再び一定の角度に回動すると、スプリングによりカッター（１４）がまた元の状況に回復し、プログラム制御モーター（１８）のベルトと輸送ローラー（１５）が接続され、スプリング加圧ローラー（１３）と輸送ローラー（１５）が接続され、スプリング加圧ローラー（１３）が凹形状で、上面にスプリングが設置され、ペットの糞便量により圧縮と伸縮の程度を自動調節でき、支持板（１９）と台座（１６）が接続され、支持板（１９）の上面が一層の尿パッドにより被覆され、コンピュータ制御ケース（１１）は、コンピュータがプログラミングにより全体の機器の動作を制御するためのアプリケーションセンターであり、防護筐体（４）の左側の中心位置に赤外線プローブ（５）を設置し、
前記ペット用尿パッド回収部（３００）は、筐体と回収モーターと回収ローラーとを含み、
使用済のペット用尿パッドを巻き取って筐体内部に収集する、
ことを特徴とするペット用自動便所。
【請求項２】
前記矩形の尿パッドケースがケースカバー（２０）を備え、前記ケースカバー（２０）におむつが伸び出る線形孔を備えることを特徴とする請求項１に記載のペット用自動便所。
【請求項３】
ペット用尿パッド供給部のローラー軸がペット用便所作動部の輸送ローラー（１５）と同期して作動し、尿パッドに輸送動力を提供することを特徴とする請求項１に記載のペット用自動便所。
【考案の詳細な説明】
【技術分野】
【０００１】
本考案はペット用自動便所に関する。
【背景技術】
【０００２】
人々の物質生活レベルが絶えず向上し、精神生活の要求も次第に向上するため、ペットの飼養を喜ぶ人々がますます多くなる。ペットは可愛いが、特に主人が外出して、愛犬が室内の到る所でやたらに大小便をすると、主人は十分に悩み煩いを感じ、室内の環境衛生に直接影響する。
【０００３】
特許文献１には、愛犬糞便の自動清理用便所が開示されているが、それは回転筒の形式で保存される尿パッドを採用し、回転筒体積が比較的大きく、巻き取られた尿パッドの体積はさらに大きくなるので、全体機器の体積がとても大きくなり、配置及び輸送が不便で、保存おむつの数量も比較的少ない。同時に、尿パッド供給がスムーズでなく、回転筒内の尿パッドが比較的多くなると、尿パッドの供給が困難になり、引っ掛かりやすくなる。この外、該「愛犬糞便の自動清理用便所」は、毎回、使用された尿パッドを右側から送り出した後、地面に横たえて放置するので、衛生状況が良くなく、同時に室内にも異臭を生じさせ、人々の生活する住居に影響する。
【先行技術文献】
【特許文献】
【０００４】
【特許文献１】中国特許出願公開第１０１７８５４３５号明細書
【考案の概要】
【考案が解決しようとする課題】
【０００５】
本考案が解決しようとする技術問題は、従来のペット用自動便所が回転筒の形式で保存される尿パッドを採用し、回転筒の体積が比較的大きく、巻き取られた尿パッドの体積が更に大きいので、機器全体の体積がとても大きくなり、配置及び輸送が不便で、同時に保存おむつの数量も比較的少ない。さらに、尿パッド供給がスムーズでなく、回転筒内の尿パッドが比較的多くなると、尿パッドの供給が困難で、引っ掛かりやすくなる。この外、該「愛犬糞便の自動清理用便所」は、毎回、使用された尿パッドを右側から送り出した後、地面に横たえて放置するので、衛生状況が良くなく、且つ室内にも異臭を生じさせ、人々の生活する住居に影響する。
【課題を解決するための手段】
【０００６】
本考案は、以下の技術方案を採用する。
【０００７】
ペット用自動便所は、ペット用尿パッド供給部（１００）、ペット用便所作動部（２００）、ペット用尿パッド回収部（３００）という三つの部分を含み、
前記ペット用尿パッド供給部（１００）が、矩形の尿パッドケース、伝送尿パッドのローラー軸、出口にある二つの摩擦ローラー（１）及び単向歯車（２）を含み、
前記尿パッドケース内にＺ形折畳み式の尿パッド（２１）が保存され、ローラー軸が減速モーターの駆動で尿パッドの移動に輸送動力を提供し、摩擦ローラー（１）が尿パッドをクランプし、単向歯車（２）は、尿パッドが切断された後に内側に引き込まれることを防止し、
前記ペット用便所作動部（２００）は、ペットが停留する支持板（１９）を備え、その上方にペット用尿パッド供給部（１００）の提供したおむつが配置され、切断装置ホルダ（１７）が台座（１６）の上面に設置され、切断装置ホルダ（１７）の上面に被覆材料（７）が装着され、三角プーリー（８）が伝動ベルトを介してカム（１２）に接続され、カム（１２）とカッター（１４）が接続され、カッター（１４）の上面にスプリングが設置され、カム（１２）が一定の角度に回動すると、カッター（１４）が下降し始め、密封された糞便袋を切断し、カム（１２）が再び一定の角度に回動すると、スプリングによりカッター（１４）がまた元の状況に回復し、プログラム制御モーター（１８）のベルトと輸送ローラー（１５）が接続され、スプリング加圧ローラー（１３）と輸送ローラー（１５）が接続され、スプリング加圧ローラー（１３）が凹形状で、上面にスプリングが設置され、ペットの糞便量により圧縮と伸縮の程度を自動調節でき、支持板（１９）と台座（１６）が接続され、支持板（１９）の上面が一層の尿パッドにより被覆され、コンピュータ制御ケース（１１）は、コンピュータがプログラミングにより全体の機器の動作を制御するためのアプリケーションセンターであり、防護筐体（４）の左側の中心位置には赤外線プローブ（５）を設置し、
前記ペット用尿パッド回収部（３００）は、筐体と回収モーターと回収ローラーとを含み、
使用済のペット用尿パッドを巻き取って筐体内部に収集する。
【０００８】
さらに、前記矩形の尿パッドケースがケースカバー（２０）を備え、前記ケースカバー（２０）におむつ（１２）が伸び出る線形孔を備える。
【０００９】
さらに、ペット用尿パッド供給部分のローラー軸がペット用便所作動部の輸送ローラー（１５）と同期して作動し、尿パッドに輸送動力を提供する。
【考案の効果】
【００１０】
本考案の有益な効果は、以下のことにある。
【００１１】
１）ペット用尿パッド供給部の体積が比較的小さく、配置輸送が便利で、且つ保存尿パッドの数量が多い。
【００１２】
２）尿パッドの供給がスムーズで、引っ掛からない。
【００１３】
３）摩擦ローラー及び単向歯車は、尿パッドが切断された後に内側に引き込まれることを有効に防止する。
【００１４】
４）ペット用尿パッド回収部は、使用された尿パッドを回収することで、衛生条件を改善し、異臭を回避し、生活品質を向上させる。
【図面の簡単な説明】
【００１５】
【図１】ペット用尿パッド供給部の構造外形図である。
【図２】ペット用尿パッド供給部の構造詳細図である。
【図３】ペット用便所作動部の構造模式図である。
【図４】ペット用尿パッド回収部の構造模式図である。
【図５】本考案のペット用自動便所の全体構造模式図である。
【考案を実施するための形態】
【００１６】
以下、図面及び具体的な実施例により、本考案について詳細に説明する。
【００１７】
図１−図３を参照すると、ペット用自動便所は、ペット用尿パッド供給部１００、ペット用便所作動部２００、ペット用尿パッド回収部３００という三つの部分を含む。前記ペット用尿パッド供給部１００は、矩形の尿パッドケース、伝送尿パッドのローラー軸、出口にある二つの摩擦ローラー１及び単向歯車２を含む。前記尿パッドケース内にはＺ形折畳み式の尿パッド２１が保存され、ローラー軸が減速モーターの駆動により尿パッド移動に輸送動力を提供する。摩擦ローラー１が尿パッドをクランプし、単向歯車２は、尿パッドが切断された後に内側に引き込まれることを防止する。前記ペット用便所作動部２００は、ペットが停留する支持板１９を備え、その上方にペット用尿パッド供給部１００の提供したおむつが配置され、切断装置ホルダ１７が台座１６の上面に設置され、切断装置ホルダ１７の上面に被覆材料７が装着され、三角プーリー８が伝動ベルトを介してカム１２と接続され、カム１２とカッター１４が接続され、カッター１４の上面にスプリングが設置される。カム１２が一定の角度に回動すると、カッター１４がすぐに下降し始め、密閉された糞便袋を切断する。カム１２が再び一定の角度に回動すると、スプリングによりカッター１４がまた元の状況に回復する。プログラム制御モーター１８のベルトと輸送ローラー１５が接続され、スプリング加圧ローラー１３と輸送ローラー１５が接続され、スプリング加圧ローラー１３が凹形状で、上面にスプリングが設置され、ペットの糞便量により圧縮と伸縮の程度を自動調節でき、支持板１９と台座１６が接続され、支持板１９の上面が一層の尿パッドにより被覆され、コンピュータ制御ケース１１はコンピュータがプログラミングにより全体の機器動作を制御するためのアプリケーションセンターである。防護筐体４の左側の中心位置には赤外線プローブ５を設置する。前記ペット用尿パッド回収部３００は、筐体と回収モーターと回収ローラーを含み、使用済のペット用尿パッドを巻き取って筐体内部に収集する。
【００１８】
図１を参照すると、前記矩形の尿パッドケースがケースカバー２０を備え、前記ケースカバー２０の上面におむつ１２が伸び出る線形孔を備える。
【００１９】
図１−図２を参照すると、ペット用尿パッド供給部分のローラー軸がペット用便所作動部の輸送ローラー１５と同期して作動させ、尿パッドに輸送動力を提供する。
【００２０】
本考案のペット用自動便所のペット用尿パッド供給部の体積が比較的小さく、配置輸送を便利で、且つ保存尿パッドの数量が多い。尿パッドの供給がスムーズで、引っ掛からない。摩擦ローラー及び単向歯車は、尿パッドが切断された後に内側に引き込まれることを有効に防止する。ペット用尿パッド回収部は、使用された尿パッドを回収することで、衛生条件を改善し、異臭を回避し、生活品質を向上させる。
【符号の説明】
【００２１】
１  摩擦ローラー
２  単向歯車
４  防護筐体
５  赤外線プローブ
６  センサー
７  被覆材料
８  三角プーリー
９  伝動ベルト
１０  三角ベルト
１１  コンピュータ制御ケース
１２  カム
１３  スプリング
１４  カッター
１５  輸送ローラー
１６  台座
１７  切断装置ホルダ
１８  プログラム制御モーター
１９  支持板
２０  ケースカバー
２１  Ｚ形折畳み尿パッド
１００  ペット用尿パッド供給部
２００  ペット用便所作動部
３００  ペット用尿パッド回収部
【図１】
0003203856.tif 000003
【図２】
0003203856.tif 000004
【図３】
0003203856.tif 000005
【図４】
0003203856.tif 000006
【図５】
0003203856.tif 000007